(57)【要約】【課題】被写体の撮影と無線タグ情報の取得を同時且つ簡便に実行可能とする。【解決手段】無線タグディテクタ１０５が無線タグを励起する電波を発して、無線タグからの応答があった場合、無線タグ情報の検出を行う。撮影ボタン（シャッタボタン）の押下を検知すると撮像処理を行い、無線タグ情報が取得されていれば、無線タグ情報と撮影した画像情報を対とするような情報形態として記憶し、無線タグ情報が取得されていないときは無線タグ情報が無かったという情報と撮影した画像情報を対とするような情報形態として記憶する。【選択図】      図３
2004254230.tif 000002
【特許請求の範囲】
【請求項１】
被写体に装着された、所定の情報を記憶するとともに前記所定の情報を無線情報として送信する情報送信手段からの無線情報を撮影の過程で取得する情報取得手段を備え、
無線情報が取得された場合は、その無線情報と撮影画像情報を対とする情報形態で記憶し、無線情報が取得されなかった場合は、無線情報が無いことを表す情報と撮影画像情報を対とする情報形態で記憶する手段を備えたことを特徴とする撮影装置。
【発明の詳細な説明】
【０００１】
【発明の属する技術分野】
本発明は、被写体の撮影と無線タグ情報の取得を行うことのできる撮影装置に関する。
【０００２】
【従来の技術】
従来から、無線タグを物品に装着しておき、タグＩＤをディテクタで読み取る商品管理がある（例えば、特許文献１参照）。
【０００３】
【特許文献１】
特開平１０―１９８７３１号公報。
【０００４】
【発明が解決しようとする課題】
しかしながら、上記の従来技術では無線タグＩＤをデータベース化して管理することは記載されているが、画像情報と組み合わせることによって、更に機能をアップすることについては考慮されておらず、しかも画像情報のような付帯情報をタグＩＤとどのようにして簡便に取得したり登録したりするかについて何ら考慮されていない。
【０００５】
本発明は、被写体の撮影と無線タグ情報の取得を簡便に実現可能とすること等を目的とする。
【０００６】
【課題を解決するための手段】
本発明の撮影装置は、被写体に装着された、所定の情報を記憶するとともに前記所定の情報を無線情報として送信する情報送信手段からの無線情報を撮影の過程で取得する情報取得手段を備え、無線情報が取得された場合は、その無線情報と撮影画像情報を対とする情報形態で記憶し、無線情報が取得されなかった場合は、無線情報が無いことを表す情報と撮影画像情報を対とする情報形態で記憶する手段を備えた点に特徴を有する。
【０００７】
【発明の実施の形態】
以下、図面を参照して、本発明の好適な実施の形態について説明する。
【０００８】
（第１の実施の形態）
図１（ａ）には、本実施の形態の撮影装置１０１を示す。撮影装置１０１としては、デジタルカメラやカメラ付き携帯電話端末、ビデオカメラ等の撮影機能を有する機器が相当する。同図において、１０２は被写体、１０３は被写体１０２に装着された所定の情報を記憶するとともに所定の情報を無線情報として送信する情報送信手段である無線タグ、１０４は被写体１０２を撮影するための撮影光学系としてのレンズ、１０５は無線タグ情報（タグＩＤ）を取得するための情報取得手段（無線タグ検出装置）である無線タグディテクタである。
【０００９】
本実施の形態では、取得手段である撮影ユニット及び情報取得手段とを別々に有するものを説明したが、例えば、撮影ユニットと情報取得手段とを一体化しても良い。
【００１０】
ここで、無線タグ情報とは、例を挙げれば物や場所等の特定が可能な一意なＩＤ情報である。近年、無線タグの具体例として、ミューチップと呼ばれる極小のシリコンチップで個体固有の番号情報等を記憶し、外部から電波を与えその誘導起電力により電力を得て個体固有の番号情報を無線で受信可能とするデバイスが発表されている。ただし、この種の機能を実現可能な無線タグであれば特に限定されるものではない。
【００１１】
無線タグ情報を記憶したい場合には、撮影前に予め被写体１０２に無線タグを装着しておく。その装着方法としては、電波の発信を阻害しない位置にシールで貼着する或いは塗料に混ぜて塗布する等様々な方法が存在するが、特に限定されるものではない。
【００１２】
被写体１０２の撮影と無線タグ情報の取得の両方を一連の動作で行うのに適するように、撮影とタグ情報受信のために撮影装置１０１の姿勢を変えないで済むよう、被写体１０２にレンズ１０４を向けた姿勢で、無線タグからの電波を装置装着状態における十分な感度を保つ位置に無線タグディテクタ１０５を配置する。もちろん、撮影装置１０１の背面に無線タグディテクタ１０５が在ったとしても、指向性方向が同一或いは凡そ同一で且つ十分な感度が保たれる場合にはこれでも良い。
【００１３】
また、図１（ｂ）に示すように、複数の無線タグ１０３、１０６、１０７が存在する場合、ターゲット外の無線タグからの同時受信を避けるために、無線タグディテクタ１０５の装置装着状態において指向性を有し且つレンズ１０４の光学系光軸方向と装置装着状態における指向性方向が同一或いは凡そ同一であることが好ましい。
【００１４】
また、通常小物の撮影に用いられるマクロ撮影は２０ｃｍから４０ｃｍ程度の距離で行われるが、光学系光軸上でレンズから２０ｃｍから４０ｃｍ程度の距離の位置に無線タグディテクタ２０２の指向性の軸が交差するような配置でも良い。
【００１５】
図１（ｂ）の例では、ターゲットとなる無線タグディテクタ１０５から出ている楕円（図中の点線）の大きさが指向性感度を表すが、無線タグ１０３が光学系光軸上で且つ無線タグの最大指向性方向との交点に存在するケースで、非ターゲットである無線タグ１０６、１０７からの電波に対する感度は小さく、これら無線タグ１０６、１０７からの影響は少なくなっている。
【００１６】
図２は撮影装置の構成を示すブロック図であり、１０４は撮影光学系、２はＣＣＤ撮像素子、ＣＭＯＳ撮像素子等の撮像手段としての撮像素子、３は撮像素子出力をＡＤ変換しガンマ変換や色変換処理を行う信号処理回路、４は信号処理回路を介した信号を半導体メモリ等の着脱可能な記録媒体５の記録に適した信号に変換するための記録インターフェース回路である。１０５は無線タグ検出装置、７はシャッタレリーズ１等を含む操作部、８は撮影装置の制御プログラムを記憶するためのＲＡＭやＥＥＰＲＯＭ、９は画像表示や警告表示を行うための表示部、１０は撮影装置内の各回路を制御するための制御回路であり、ＣＰＵを内蔵している。
【００１７】
次に、図３のフローチャートを参照して、撮影装置１０１にて実行される処理について説明する。ステップＳ２０１では、無線タグディテクタ１０５が無線タグを励起する電波を発する。その起電力により無線タグは無線タグ情報を発信する。
【００１８】
ステップＳ２０２では、無線タグからの応答があるかどうかを判断し、無線タグからの応答があった場合、ステップＳ２０３に移って、直ちに無線タグ情報の検出を行ってからステップＳ２０４に移る。ステップＳ２０３では、唯一の無線タグ情報をディテクとした場合か、或いは、複数の無線タグ情報をディテクとした場合に無線タグ情報の検出が成功したとする。複数の無線タグ情報をディテクとした場合は、その信号強度の順位も一時記憶しておく。
【００１９】
一方、無線タグからの応答がない場合、そのままステップＳ２０４に移る。なお、この場合に、無線タグからの応答がないことを通知するようにしてもよい。
【００２０】
そして、ステップＳ２０４で撮影ボタン（シャッタボタン）の押下を検知すると、ステップＳ２０５で撮像処理を行う。
【００２１】
この場合に、上記ステップＳ２０３の処理で無線タグ情報が取得されていれば（ステップＳ２０６）、ステップＳ２０７で無線タグ情報と撮影した画像情報を対とするような情報形態として記憶する。そして、ステップＳ２０８では、無線タグ情報と撮影した画像情報を対とするような情報形態として記憶した旨の通知を行う。この通知としては、無線タグ情報取得ＯＫのステータスが例えばファインダー内部／本体の緑のランプ表示、更に或いは液晶表示部に表示され、或いは音声で警告メッセージが出される。更には、無線タグ情報が複数ある場合には、その個数や各無線タグ情報の値を通知するようにしてもよい。
【００２２】
それに対して、無線タグ情報が取得されていないときは（ステップＳ２０６）、ステップＳ２０９で無線タグ情報が無かったことを表す情報と撮影した画像情報を対とするような情報形態として記憶する。この通知としても、無線タグ情報取得ＮＧのステータスが例えばファインダー内部／本体の緑のランプ表示、更に或いは液晶表示部に表示され、或いは音声で警告メッセージが出される。これによりユーザが無線タグ情報付きの画像の撮影を希望する場合、撮影をリトライすることが可能となる。
【００２３】
ここで、対として記憶する情報スキーマとしては、例えば図４に示すようなデータベースＤＢがある。ＤＢレコードは無線タグＩＤ情報及びその信号強度のリスト、画像へのポインタの他、画像サイズ（縦横サイズ、バイト数）、画像に対してユニークに付与される画像ＩＤ、日付等の自動取得可能なメタデータが記憶されている。画像へのポインタは画像格納先のアドレスやファイルとしてのパス情報もあり、更に画像へのポインタではなく画像データ自身を記憶するスキーマでも構わない。
【００２４】
以上述べたように被写体に装着した被写体の撮影と無線タグ情報の取得の両方を簡便な一連の動作で行うことができ、しかも、無線タグ情報の取得の可否に応じた記憶処理を行うことができる。
【００２５】
（第２の実施の形態）
上記第１の実施の形態では、撮影ボタンを押す前に無線タグ情報をサーチしたが、本実施の形態は、撮影ボタンを押した後に無線タグ情報をサーチする例である。
【００２６】
以下、図５のフローチャートを参照して、撮影装置１０１にて実行される処理について説明する。ステップＳ３０１では、撮影ボタン（シャッタボタン）が押されたかどうかを判定し、撮影ボタンが押されるまでループして待機する
【００２７】
そして、撮影ボタンの押下を検知すると、ステップＳ３０２で撮影処理を行う。ついで、ステップＳ３０３で無線タグディテクタ１０５が無線タグを励起する電波を発する。その起電力により無線タグは無線タグ情報を発信する。
【００２８】
ステップＳ３０４では、無線タグからの応答があるかどうかを判断し、無線タグからの応答があった場合、ステップＳ３０５に移って、直ちに無線タグ情報の検出を行ってステップＳ３０６に移る。ステップＳ３０５では、唯一の無線タグ情報をディテクとした場合か、或いは、複数の無線タグ情報をディテクとした場合に無線タグ情報の検出が成功したとする。複数の無線タグ情報をディテクとした場合は、その信号強度の順位も一時記憶しておく。
【００２９】
一方、無線タグからの応答がない場合、そのままステップＳ３０９に移る。なお、この場合に、無線タグからの応答がないことを通知するようにしてもよい。
【００３０】
上記ステップＳ３０５の処理で無線タグ情報が取得されていれば（ステップＳ３０６）、ステップＳ３０７で無線タグ情報と撮影した画像情報を対とするような情報形態として記憶する。そして、ステップＳ３０８では、無線タグ情報と撮影した画像情報を対とするような情報形態として記憶した旨の通知を行う。この通知としては、無線タグ情報取得ＯＫのステータスが例えばファインダー内部／本体の緑のランプ表示、更に或いは液晶表示部に表示され、或いは音声で警告メッセージが出される。更には、無線タグ情報が複数ある場合には、その個数や各無線タグ情報の値を通知するようにしてもよい。
【００３１】
それに対して、無線タグ情報が取得されていないときは（ステップＳ３０６）、ステップＳ３０９で無線タグ情報が無かったことを表す情報と撮影した画像情報を対とするような情報形態として記憶する。この通知としても、無線タグ情報取得ＮＧのステータスが例えばファインダー内部／本体の緑のランプ表示、更に或いは液晶表示部に表示され、或いは音声で警告メッセージが出される。
【００３２】
以上述べたように被写体に装着した被写体の撮影と無線タグ情報の取得の両方を簡便な一連の動作で行うことができ、しかも、無線タグ情報の取得の可否に応じた記憶処理を行うことができる。
【００３３】
なお、本実施の形態では、撮影レスポンスの観点からシャッタボタンを押した直後に撮像処理を行い、その後に無線タグ励起電波の送出及び無線タグ情報の取得処理を行う例を説明したが、シャッタボタンを押した直後に無線タグ励起電波の送出及び無線タグ情報の取得処理を行い、その後に撮像処理を行うようにしてもよい。
【００３４】
（第３の実施の形態）
上記第１、２の実施の形態では、無線タグが独立電源を内部に持たず、電力を励起する電波を必要とする例を説明したが、本実施の形態は、無線タグ自身が内蔵電源を持ち、無線タグ情報を発信する例を説明する。この場合には無線タグの内蔵電源の消費電力を抑えるために、無線タグに触れることにより、無線タグへ一定時間以内或いは一定回数の通信、更に或いは一定時間以内且つ一定回数の通信を行う指示を与えることにより無線タグに無線タグ情報を発信させ、無線タグをサーチするための通信を行う。
【００３５】
図６に、一定時間以内且つ一定回数の通信を行う無線タグにて実行される処理について示す。ステップＳ４０１において無線タグに触れる等して無線タグの電源をオンにし、ステップＳ４０２では無線タグ動作時間ｔ及び無線タグオフ命令受信回数ｎを零リセットする。
【００３６】
ステップＳ４０３で無線タグ動作時間ｔを計測し、ステップＳ４０４では無線タグ動作時間ｔが予め定められた動作時間閾値Ｔ以下かどうかを判断する。動作時間閾値Ｔを超えると、ステップＳ４０９に移って、無線タグの電源をオフにする。
【００３７】
無線タグ動作時間ｔが動作時間閾値Ｔ以下であれば、ステップＳ４０５に移って、電源オフの指令が通信されたかを判断する。上記ステップＳ４０５において電源オフの指令が通信されていなければ、ステップＳ４０６で無線タグＩＤ信号を送出し、再びステップＳ４０４の処理に戻る。上記ステップＳ４０５において電源オフの指令が通信されていれば、ステップＳ４０７で無線タグオフ命令受信回数ｎを１インクリメントし、ステップＳ４０８で無線タグオフ命令受信回数閾値Ｎと比較を行う。無線タグオフ命令受信回数ｎがＮ未満であれば、ステップＳ４０６で無線タグＩＤ信号を送出し、Ｎ以上であれば、ステップＳ４０９で無線タグの電源をオフにする。
【００３８】
なお、ここでは、一定時間以内且つ一定回数の通信を行う例を説明したが、一定時間以内或いは一定回数の通信としてもかまわない。
【００３９】
図７は、上記第１の実施の形態で述べた例において、無線タグ自身が内蔵電源を持ち、無線タグ情報を発信するようにした場合の処理を示すフローチャートである。なお、図３のフローチャートで説明した処理と同じ処理には同一の符号を付し、その詳細な説明は割愛する。
【００４０】
この場合、無線タグ励起電波送出処理（ステップＳ２０５）の代わりに、無線タグを触れることにより無線タグの電源をオンにする処理（ステップＳ２１１）を追加する。また、ステップＳ２０８、Ｓ２０９の後に、無線タグの電源をオフする命令を送信する処理（ステップＳ２１２）を追加したものとなる。
【００４１】
このように撮影装置１０１において図７のフローチャートに示す処理を行い、無線タグ側において図６のフローチャートに示す処理を行うことで、無線タグの内蔵電源の消費電力を抑えた実施が可能となる。
【００４２】
同様に、上記第２の実施の形態で述べた例において、無線タグ自身が内蔵電源を持ち、無線タグ情報を発信するようにした場合も、図５のフローチャートにおいて、無線タグ励起電波送出処理（ステップＳ３０３）の代わりに、無線タグを触れることにより無線タグの電源をオンにする処理を追加し、また、ステップＳ３０８、Ｓ３１０の後に、無線タグの電源をオフする命令を送信する処理を追加したものとなる。
【００４３】
以上述べたように無線タグディテクタ１０５を撮影装置１０１に備え、撮影と無線タグのディテクトの両方を同時に効率良く行うことができる。本装置１０１を被写体に近づけタグＩＤをディテクトするとほぼ同時に被写体の映像を撮影し、タグＩＤと映像情報を対で管理することが可能となり、しかも撮影直前に無線タグの検出の有無により無線タグ情報が取得できないで画像だけを撮影するようなミスを未然に防ぐことが可能となる。
【００４４】
また、無線タグＩＤと撮影画像情報を対として記憶するメリットには、無線タグＩＤは人にとって無意味な記号列であり記憶しにくいものの、画像は人の記憶に残り易い。従って、無線タグＩＤと対を成す撮影画像を無線タグＩＤを表すシンボル、即ちアイコンとして活用すると、無線タグＩＤを指定するＵＩ、ＧＵＩとして多大なメリットがある。
【００４５】
なお、上記各実施の形態では、無線タグ情報が取得されなかった場合に警告を行うようにしたが（ステップＳ２１０、Ｓ３１０）、無線タグ情報が検出されないのは通常の撮影として考え、警告を行わないようにしてもよい。
【００４６】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００４７】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００４８】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４９】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００５０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００５１】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００５２】
以下、本発明の実施態様の例を列挙する。
（実施態様１）  被写体に装着された、所定の情報を記憶するとともに前記所定の情報を無線情報として送信する情報送信手段からの無線情報を撮影の過程で取得する情報取得手段を備え、
無線情報が取得された場合は、その無線情報と撮影画像情報を対とする情報形態で記憶し、無線情報が取得されなかった場合は、無線情報が無いことを表す情報と撮影画像情報を対とする情報形態で記憶する手段を備えたことを特徴とする撮影装置。
【００５３】
（実施態様２）  上記情報送信手段から無線情報を取得するための通信の開始を撮影指示操作前に行うことを特徴とする実施態様１に記載の撮影装置。
【００５４】
（実施態様３）  上記情報送信手段から無線情報を取得するための通信の開始を撮影指示操作後に行うことを特徴とする実施態様１に記載の撮影装置。
【００５５】
（実施態様４）  上記情報送信手段から無線情報を取得するための通信の開始は、上記情報送信手段に励磁電波を送出することにより行われることを特徴とする実施態様２又は３に記載の撮影装置。
【００５６】
（実施態様５）  上記情報送信手段は内蔵電源を持ち、指示を受けたならば一定時間以内及び／又は一定回数の通信が可能である場合、上記情報送信手段から無線情報を取得するための通信の開始は、上記情報送信手段に指示を与えることで行われることを特徴とする実施態様２又は３に記載の撮影装置。
【００５７】
（実施態様６）  上記無線情報は複数取得可能であることを特徴とする実施態様１に記載の撮影装置。
【００５８】
（実施態様７）  無線情報が複数取得された場合、その信号強度の順位を記憶することを特徴とする実施態様６に記載の撮影装置。
【００５９】
（実施態様８）  無線情報と撮影画像情報を対とする情報形態で記憶した場合、その通知を行う通知手段を備えたことを特徴とする実施態様１に記載の撮影装置。
【００６０】
（実施態様９）  無線情報が無いことを表す情報と撮影画像情報を対とする情報形態で記憶した場合、その通知を行う通知手段を備えたことを特徴とする実施態様１に記載の撮影装置。
【００６１】
（実施態様１０）  上記情報取得手段は無線タグディテクタであり、該撮影装置が撮影方向に向いた状態で十分な感度を保つ位置に配置装着されることを特徴とする実施態様１に記載の撮影装置。
【００６２】
（実施態様１１）  上記無線タグディテクタの装置装着状態における指向性方向が該撮影装置が撮影方向と略同一であることを特徴とする実施態様１０に記載の撮影装置。
【００６３】
（実施態様１２）  被写体に装着された、所定の情報を記憶するとともに前記所定の情報を無線情報として送信する情報送信手段からの無線情報を撮影の過程で取得する情報取得手段を備えた撮影装置を用いた撮影方法であって、
上記情報取得手段により撮影の過程で上記被写体に装着された情報送信手段の無線情報を取得する手順と、
無線情報が取得された場合は、その無線情報と撮影画像情報を対とする情報形態で記憶し、無線情報が取得されなかった場合は、無線情報が無いことを表す情報と撮影画像情報を対とする情報形態で記憶する手順とを有することを特徴とする撮影方法。
【００６４】
（実施態様１３）  被写体に装着された、所定の情報を記憶するとともに前記所定の情報を無線情報として送信する情報送信手段からの無線情報を撮影の過程で取得する情報取得手段を備えた撮影装置を制御するためのプログラムであって、
上記情報取得手段により撮影の過程で上記被写体に装着された情報送信手段の無線情報を取得する処理と、
無線情報が取得された場合は、その無線情報と撮影画像情報を対とする情報形態で記憶し、無線情報が取得されなかった場合は、無線情報が無いことを表す情報と撮影画像情報を対とする情報形態で記憶する処理とを実行させることを特徴とするプログラム。
【００６５】
（実施態様１４）  実施態様１３に記載のプログラムを格納したことを特徴とするコンピュータ読み取り可能な記憶媒体。
【００６６】
【発明の効果】
以上述べたように、被写体の撮影と無線情報の取得を同時且つ簡便に実行することができ、しかも無線情報の取得の可否に応じた記憶処理を行うことができる。
【図面の簡単な説明】
【図１】実施の形態の撮影装置１０１を示す図である。
【図２】撮影装置の構成を示すブロック図である。
【図３】第１の実施の形態において撮影装置１０１にて実行される処理を示すフローチャートである。
【図４】無線タグ情報と撮影した画像情報を対として記憶する情報スキーマの一例を示す図である。
【図５】第２の実施の形態において撮影装置１０１にて実行される処理を示すフローチャートである。
【図６】第３の実施の形態において無線タグにて実行される処理を示すフローチャートである。
【図７】第３の実施の形態において撮影装置１０１にて実行される処理の例を示すフローチャートである。
【符号の説明】
１０１    撮影装置
１０２    被写体
１０３    無線タグ
１０４    レンズ
１０５    無線タグディテクタ
【図１】
2004254230.tif 000003
【図２】
2004254230.tif 000004
【図３】
2004254230.tif 000005
【図４】
2004254230.tif 000006
【図５】
2004254230.tif 000007
【図６】
2004254230.tif 000008
【図７】
2004254230.tif 000009